(57)【要約】  電子デバイスを充電する充電システム（１００）。充電システム（１００）は配電装置（１１０）および受電装置（１１２）を含み、受電装置（１１２）が配電装置（１１０）に係合されると、配電装置（１１０）は受電装置（１１２）に電力を送る。受電装置（１１２）によって、受電装置（１１２）が支持している物品内に充電電流が誘起される。受電装置（１１２）は、第１の充電コイル（１４８）を有するインダクタ板（１４６）を含み、物品は埋込み式電子デバイス（１５８）を有する衣服（１５６）とすることが可能である。衣服（１５６）には、第２の充電コイル（１６２）を含めることが可能であり、第１の充電コイル（１４８）によって、第２の充電コイル（１６２）中に充電電流が誘起される。
2007502100.tif 000002
【特許請求の範囲】
【請求項１】
配電装置および受電装置からなり、
該受電装置が該配電装置に係合されると、該配電装置が該受電装置に電力を送り、
該受電装置によって、該受電装置が支持している物品内に充電電流が誘起される、電子デバイスを充電する充電システム。
【請求項２】
前記受電装置が第１の充電コイルを有するインダクタ板からなり、前記物品が埋込み式電子デバイスを有する衣服であり、該衣服が第２の充電コイルを含み、該第１の充電コイルによって該第２の充電コイル中に充電電流が誘起される、請求項１に記載のシステム。
【請求項３】
前記第２の充電コイルと前記電子デバイスとが電気的に結合され、前記第２の充電コイル中に誘起された前記充電電流によって前記電子デバイスの電源が充電される、請求項２に記載のシステム。
【請求項４】
前記受電装置が、充電コイルを有するインダクタ板と、該インダクタ板に取り付けられた本体と、該本体に回転可能に結合されたステムと、該ステムから突き出た少なくとも１つの電源接点とからなる、請求項１に記載のシステム。
【請求項５】
前記配電装置が、前記配電装置にほぼ沿って延び、前記受電装置を受容しそれによって前記受電装置が前記配電装置に係合可能となる溝からなる、請求項１に記載のシステム。
【請求項６】
前記配電装置が、前記配電装置を壁に固定する壁取付け具からなる、請求項１に記載のシステム。
【発明の詳細な説明】
【技術分野】
【０００１】
本発明は、一般に充電システムに関し、より詳細には、埋込み式構成部品を充電する充電システムに関する。
【背景技術】
【０００２】
（関連出願の相互参照）
該当なし。
現在、数社が様々なタイプの電子機器を衣料品に埋め込むようになっている。例えば、いくつかの製造業者は、携帯電話や全地球測位システム（ＧＰＳ）追跡装置、ビデオカメラなどの電子デバイスをジャケットや他の上着類の内部に設けてきている。これらの要素の多くは、それ自体に電源、例えば充電式バッテリを含むので、この電源を補充するには、これらのデバイスの電源を含む部分を衣服から取り外さなければならない。埋込み式電子デバイスのこの部分を衣服から取り外した後は、通常は、電源が十分に充電されるまでその部分を充電器に装着しておく。
【０００３】
しかし、電源を補充するこの方法にはいくつかの重大な欠点がある。すなわち、埋込み式電子デバイスの構成部品を充電のために一旦衣服から取り外すと、その部品を紛失したり置き忘れたりしやすくなることである。さらに、使用者は、かかる構成部品を絶えず取り外しては再びはめ込むのを面倒に感じることがあり、その結果、電子デバイスが充電不足となって動作しなくなるおそれがある。最後に、充電するために、電源を収容した構成部品に頻繁に触れなければならず、その結果、その衣料品を構成する生地がひどく摩耗する可能性がある。
【発明の開示】
【発明が解決しようとする課題】
【０００４】
したがって、こうした現況技術の欠点を克服するが、コストや複雑さはそれほど増大しない充電システムが求められている。
【課題を解決するための手段】
【０００５】
本発明は、電子デバイスを充電する充電システムに関する。このシステムは、配電装置および受電装置を含むことが可能であり、受電装置が配電装置に係合されると、配電装置は受電装置に電力を送る。この受電装置によって、受電装置が支持している物品内に充電電流が誘起される。
【０００６】
本発明の１態様では、受電装置は、第１の充電コイルを有するインダクタ板を含み、物品は埋込み式電子デバイスを有する衣服とすることが可能である。さらに、衣服には第２の充電コイルを含めることが可能であり、第１の充電コイルによって、第２の充電コイル中に充電電流が誘起されることになる。第２の充電コイルと電子デバイスとは電気的に結合可能であり、第２の充電コイル中に誘起された充電電流によって電子デバイスの電源を充電することが可能である。
【０００７】
別の構成では、受電装置は、充電コイルを有するインダクタ板と、インダクタ板に取付け可能な本体と、本体に回転可能に結合されたステムと、ステムから突き出た少なくとも１つの電源接点とを含み得る。また、電源接点は、第１の導線の少なくとも一部分と第２の導線の少なくとも一部分とを含むことが可能であり、第１の導線および第２の導線の、ステムから突き出たこれらの部分は露出している。
【０００８】
さらに別の構成では、配電装置は、電源ストリップを含むことが可能であり、この電源ストリップは、少なくとも１つの正電源ストリップと少なくとも１つの負電源ストリップを有し得る。受電装置が配電装置に係合されると、第１の導線の露出部分と第２の導線の露出部分の少なくとも一方が正電源ストリップに接触し得るとともに、第１の導線の露出部分と第２の導線の露出部分の残る一方が負電源ストリップに接触し得る。第１の導線の少なくとも一部分と第２の導線の少なくとも一部分とは、ステムおよび本体の内部に収容可能であり、第１の導線と第２の導線は、インダクタ板の充電コイルに電気的に結合可能である。したがって、受電装置が配電装置に係合されると、インダクタ板の充電コイルと電源ストリップの間で回路が形成されることになる。
【０００９】
別の態様では、受電装置には、回路を流れる電流量を制御するスイッチをさらに含めることが可能である。このスイッチは、受電装置が物品を支持しているときは閉に、物品が受電装置から取り外されると開になり得る。
【００１０】
電源ストリップは、配電装置の内側表面上に配設可能である。別の実施形態では、配電装置の内側表面上に絶縁区画を配設し、この絶縁区画の表面上に電源ストリップを配設することが可能である。さらに、配電装置は、配電装置にほぼ沿って延びる、受電装置を受容可能な溝を含み得、それによって受電装置が配電装置に係合されることになる。また、配電装置は、配電装置を壁に固定する壁取付け具を含むことも可能である。
【００１１】
本発明はまた、配電装置および衣服を支持する衣服ハンガーを有する充電システムにも関する。衣服ハンガーが配電装置に電気的に係合されると、配電装置は衣服ハンガーに電力を送る。さらに、この衣服ハンガーは、充電コイルを有するインダクタ板を含み、そのため、該衣服ハンガーが前記配電装置に電気的に係合されると、該衣服ハンガーが支持している衣服内に埋め込まれた別の充電コイル中に充電電流が誘起されることになる。
【００１２】
本発明はまた、別の充電システムにも関する。この充電システムは、配電装置および少なくとも第１の結合部を有する受電装置を含む。受電装置が配電装置に係合されると、配電装置は受電装置に電力を送る。受電装置が支持している物品に第１の結合部が結合されると、受電装置はこの第１の結合部を介して物品に電力を送る。１構成では、物品は、第１の結合部に電気的に係合するための第２の結合部を含むことが可能である。
【００１３】
新規と考えられる本発明の特徴を添付の特許請求の範囲に詳細に記載する。本発明は、そのさらなる目的および利点ともに、以下の説明を添付の図面と併せ読めば最もよく理解されよう。複数の図を通して同じ参照符号は同じ要素を示している。
【発明を実施するための最良の形態】
【００１４】
本願明細書は、新規と考えられる本発明の特徴を定義する特許請求の範囲で完結するが、本発明は、同じ参照番号が通して付されている図面と併せ以下の説明を考慮すればよりよく理解されよう。
【００１５】
ここで図１を参照すると、本発明の構成による充電システム１００が示されている。充電システム１００は、配電装置１１０および受電装置１１２を含むことが可能である。以下で詳細に説明するように、受電装置１１２は配電装置１１０に係合させることが可能であり、配電装置１１０は受電装置１１２に電力を配給するまたは送ることが可能である。その内部構造の断面を示すために配電装置１１０をいくつかの部分で切断してあるが、これについては後で論じることとする。１構成では、配電装置１１０は、棒などの細長い構造とすることが可能である。しかし、配電装置１１０は、受電装置１１２に電力を供給することが可能である限り他の適当などんな形状にでもし得ることを理解されたい。
【００１６】
別の構成では、受電装置１１２は、多種多様な物品を受けて支持することが可能な構造とし得る。１例として、受電装置１１２は、多種多様なタイプの衣服を支持することが可能な衣服ハンガーの形とし得る。当然ながら、受電装置１１２はこの例に限られるものではない。というのは、受電装置１１２は、配電装置１１０と係合可能であるとともに配電装置１１０から電力を受け取ることが可能である限り、他の適当などんな形状とすることも、また他の適当などんな物品を支持することも可能であるからである。
【００１７】
本発明の構成によれば、受電装置１１２が配電装置１１０に係合されると、受電装置１１２に送られる電力を用いて、例えば、受電装置１１２が受けて支持している衣料品内部に埋め込まれた電子デバイスを充電することが可能となる。しかし、充電システム１００は他の適当なデバイスも充電可能であるので、本発明はこの特定の例に限られないことを理解されたい。
【００１８】
図２を参照すると、図１の参照線２−２から見た配電装置１１０の端面図が示されている。配電装置１１０について、図１および２に関してさらに論じる。１構成では、配電装置１１０は、本体１１３、絶縁区画１１４、および少なくとも１つの電源ストリップ１１６を含み得る。電源ストリップ１１６は、少なくとも１つの正電源ストリップ１１８と少なくとも１つの負電源ストリップ１２０を含み得る。この電源ストリップ１１６は配電ストリップとして動作可能であり、正電源ストリップ１１８は正電荷を搬送可能であるとともに負電源ストリップ１２０は接地端子であり得る。
【００１９】
さらに、絶縁部１１４は本体１１３の内側表面１２２上に配設可能であり、この絶縁部１１４の表面１２４上に電源ストリップ１１６を配接することが可能である。図１および２では、絶縁部１１４および電源ストリップ１１６は概ね本体１１３の下部区画１２６に位置するものとして示されているが、本発明はそのように限定されるものではないことを理解されたい。すなわち、絶縁部１１４および電源ストリップ１１６は、配電装置１１０の適当な他の位置にも配設可能である。
【００２０】
配電装置１１０には必ずしも絶縁部１１４を含める必要はない。例えば、本体１１３は非導電性材料で作成することが可能であり、その本体１１３の内側表面１２２上に電源ストリップ１１６を配設することも可能である。この構成の例を図３に示す。
【００２１】
図１および２に戻ると、１実施形態では、本体１１３はほぼ円形で端部１２８、１３０を含み得、これらの端部は好ましくは互いに接触することはない（端部１２８、１３０は配電装置１１０の長さの少なくとも一部分に沿って延び得る）。その結果、端部１２８と１３０の間に溝１３２が形成されることになる。この溝１３２は、正電源ストリップ１１８と負電源ストリップ１２０とを分離することが可能である。１例として、正電源ストリップ１１８を本体１１３の端部１２８上にある絶縁部１１４上に配設し、負電源ストリップ１２０を端部１３０上にある絶縁部１１４上に取り付けることが可能である。当然ながら、正電源ストリップ１１８および負電源ストリップ１２０は、端部１２８、１３０のいずれにも配置可能である。１構成では、溝１３２は、配電装置１１０の下部区画１２６の少なくとも相当な部分にわたって延在し得る。図４を参照すると、配電装置１１０の下部区画１２６の長手方向軸Ｌに沿って延びる溝１３２を有する配電装置１１０の１例の底面図が示されている（参照までに、絶縁部１１４および電源ストリップ１１６も示してある）。
【００２２】
図１に戻ると、配電装置１１０は、配電網（図示せず）から電力を受け取るプラグ１３４を含み得る。１例として、配電網は、住宅または商業施設内の電気システムとすることが可能である。別の構成では、配電装置１１０は、配電網の電圧を増大または低減させる電力変換器１３６を含み得る。例えば、電力変換器１３６は交流電圧を受け取るとともにその交流電圧の大きさを適当なレベルまで低減可能な降圧変圧器とし得る。図１に示すように、電力変換器１３６は電源ストリップ１１６に結合可能である。当然ながら、配電装置１１０には、電力変換器１３６または電圧の大きさを改変する他のどんな装置も必ずしも含める必要はない。
【００２３】
同じく図１に示すように、配電装置１１０の本体１１３は、１つまたは複数の端部キャップ１３８を含み得る。端部キャップ１３８は、本体１１３の各端部に取付け可能であり、それによって配電装置１１０は、溝１３２を除いては外部環境から絶縁されることになる。１実施形態では、電源ストリップ１１６が端部キャップ１３８に接触しないように、電源ストリップ１１６の長さを絶縁部１１４の長さよりも僅かに短くすることが可能である。別の構成では、端部キャップ１３８を非導電性材料で作成することが可能であり、この場合、電源ストリップ１１６の長さは、絶縁部１１４が存在していても、絶縁部１１４よりも短く、同じに、さらにはそれよりも長くすることが可能である。
【００２４】
先に指摘したように、充電システム１００は、配電装置１１０に係合されると配電装置１１０から電力を受け取ることが可能な受電装置１１２を含み得る。図１に示すように、受電装置１１２は、本体１４０、本体１４０に結合されたステム１４２、ステム１４２から突き出た電源接点１４４、およびインダクタ板１４６を含み得る。ステム１４２は、本体１４０に回転可能に結合し得る。さらに、インダクタ板１４６は、充電コイル１４８を含み得る（充電コイル１４８を示すためにインダクタ板１４６の一部を切り取ってある）。
【００２５】
１構成では、電源接点１４４は、第１の導線１５０の少なくとも一部分および第２の導線１５２の少なくとも一部分を含み得る。受電装置が配電装置１１０に係合されると、第１の導線１５０および第２の導線１５２は、電源ストリップ１１６に接触するようになる。第１の導線１５０および第２の導線１５２のステム１４２から突き出た部分はともに外部環境にさらされることになる。第１の導線１５０および第２の導線１５２のこれらの露出部分は、電源ストリップ１１６に接触しやすい角度に曲げることが可能である。しかし、接点１４４は、電源ストリップ１１６に接触するのに適した適当などんな構造にもし得るので、本発明は、上述の特定の電源接点１４４に限られないことが理解されよう。
【００２６】
第１の導線１５０と第２の導線１５２の他の部分（破線で示す）は、本体１４０およびステム１４２の内部に収容することが可能であり、第１の導線１５０と第２の導線１５２のこの部分をインダクタ板１４６の充電コイル１４８に電気的に結合させることが可能である。１構成では、本体１４０の内側表面１５６上およびステム１４２の内側表面１５８上に絶縁部１５４を配設することが可能である。（受電装置１１２の各切欠き部分参照）。
【００２７】
図１、２および４を参照して充電システム１００の動作を説明する。電力が配電装置１１０に供給され得る。例えば、プラグ１３４を標準の電気コンセントに差し込んで配電網から電力を受け取ることが可能である。電力変換器１３６により、正電源ストリップ１１８と負電源ストリップ１２０の間に電位が生じるように、電源ストリップ１１６に降圧交流電圧を供給することが可能である。
【００２８】
使用者は、受電装置１１２を手に持ち、それを配電装置１１０に係合させることが可能である。具体的には、使用者は、ステム１４２を、第１の導線１５０および第２の導線１５２の曲がった部分が長手方向軸Ｌに少なくともほぼ一列に並ぶかまたは平行となるまでひねることが可能である。次いで、使用者は、第１の導線１５０と第２の導線１５２を溝１３２から差し込むことが可能である。差し込んだ後は、使用者は、ステム１４２を、第１の導線１５０および第２の導線１５２の曲がった部分が長手方向軸Ｌに少なくともほぼ垂直になるまでひねることが可能である。その後、使用者はステム１４２を手から放せるようになり、受電装置１１２の重量によって、第１の導線１５０と第２の導線１５２が確実に電源ストリップ１１６に接触することになる。
【００２９】
導線１５０、１５２のいずれが、正電源ストリップ１１８および負電源ストリップ１２０のいずれと接触するかは重要ではない。すなわち、第１の導線１５０の露出部分または第２の導線１５２の露出部分のいずれか一方が正電源ストリップ１１８に接触し、第１の導線１５０の露出部分または第２の導線１５２の露出部分の残る一方が負電源ストリップ１２０に接触し得る。配電装置１１０に係合されている受電装置１１２の例を図５に示す。本発明は、第１の導線１５０が正電源ストリップ１１８に、第２の導線１５２が負電源ストリップ１２０にそれぞれ係合されている図５に示す構成に限られるものではなく、第１の導線１５０は負電源ストリップ１２０にも、また、第２の導線１５２は正電源ストリップ１１８にも係合され得ることを理解されたい。
【００３０】
第１の導線１５０と第２の導線１５２が電源ストリップ１１６に接触すると、インダクタ板１４６の充電コイル１４８と電源ストリップ１１６の間で回路１５４が形成される。回路１５４が形成されると、交流電流などの電流が回路１５４中を流れるようになる。充電システム１００は、パルス化直流電流が回路１５４中を流れるように構築することも同様に可能であることが同業者には理解されよう。
【００３１】
１構成では、受電装置１１２を用いて多種多様な衣服を支持することが可能である。例えば、図６を参照すると、受電装置１１２を用いて衣服１５６、例えば１つまたは複数の埋込み式電子デバイス１５８を含み得るジャケットなどを支持することが可能である。受電装置の構成部品、すなわち本体１４０、インダクタ板１４６、および充電コイル１４８の一部分を示すために、衣服１５６の一部分が切り取ってある。単に例示の目的にすぎず、本発明を限定するものでは全くないが、電子デバイス１５８は、携帯電話、ラジオ、カメラ、またはＧＰＳ追跡装置とすることが可能である。先に説明したように、１例として、受電装置１１２は、従来の衣服ハンガーの形とすることが可能である。したがって、本実施形態では、衣服１５６を支持するには、衣料品を従来のハンガーに掛ける手順と同様にして衣服１５６を受電装置１１２の上に掛けることが可能である。
【００３２】
１構成では、電子デバイス１５８は電源１６０を含み、衣服１５６は第２の充電コイル１６２を含み得る。電源１６０は、１つまたは複数の充電式バッテリなど、補充可能な電源とすることが可能であり、第２の充電コイル１６２はこの電源１６０に電気的に結合可能である。必要に応じて、第２の充電コイル１６２と電源１６０の間に充電電流を直流電流に変換する整流器１６３を配置することが可能である。
【００３３】
先に指摘したように、受電装置１１２が配電装置１１０に係合されると、交流電流がインダクタ板１４６の充電コイル１４８中を流れるようになる。したがって、受電装置１１２が、例えば第２の充電コイル１６２を含む衣服１５６を支持しているとき、充電コイル１４８によって第２の充電コイル１６２内に充電電流が誘起されるようになる。この充電電流を用いると電子デバイス１５８の電源１６０を再度充電または補充することが可能となる。したがって、例えば、受電装置１１２を配電装置１１０に係合させれば、使用者は受電装置１１２が支持している衣服などの物品に埋め込まれた電子デバイスを充電することが可能になる。しかし、受電装置１１２は、１つまたは複数の埋込み式電子デバイスを含んでいてもいなくてもよい適当などんな物品をも支持することが可能であるので、受電装置１１２は、衣料品のみを支持するものと限定されるものではないことに留意されたい。
【００３４】
図５に戻るが、別の構成では、受電装置１１２は、受電装置１１２が配電装置１１０に適切に係合されると発光し得るＬＥＤ１６４を含んでもよい。１構成では、ＬＥＤ１６４は、そのように望むなら、第１の導線１５０または第２の導線１５２のいずれかの適当などの部分にも整流器を介して結合可能である。その発光は、第１および第２の導線１５０、１５２が電源ストリップ１１６に適切に接触していることを使用者に知らせる働きをし得る。ＬＥＤ１６４はまた、配電装置１１０に取り付けることも可能である。
【００３５】
なおも図５を参照すると、受電装置１１２はまた、回路１５４中を流れる電流量を制御するスイッチ１６６も含み得る。このスイッチ１６６は、回路１５４の適当などの部分に結合させてもよい。図５および６を参照すると、１実施形態では、スイッチ１６６は感圧式であり、したがって、衣服１５６などの物品が受電装置１１２の本体１４０上に配置されるとスイッチ１６６が閉になり、それによって電流が回路１５４中を流れるようになる。逆に、物品、例えば衣服１５６が受電装置１１２から取り外されると、スイッチ１６６は開となり、したがって回路１５４中に電流が流れなくなる。
【００３６】
図７を参照すると、配電装置１１０を取り付ける応用例が示されている。この例では、配電装置１１０は、クローゼット１６７内に取付け可能であり、従来のクローゼットの横棒（ｒｏｄ）またはブラケットと同様に機能させることが可能である。配電装置１１０は、適当などんな長さにもすることが可能であるとともに適当な数の受電装置１１２をいくつでも支持可能であり、したがって、使用者は適当な数の物品をいくつでも充電および／または支持させることが可能である。当然ながら、充電システム１００は他の適当などんな場所にも配置可能であるので、本発明はクローゼット内への取付けに限定されるものではない。
【００３７】
図８を参照すると、配電装置１１０は、１つまたは複数の壁取付け具１６８を含み得る。壁取付け具１６８は、締結具１７０および締結具１７０がそこから挿入される開口１７２を含み得る。１例として、締結具１７０はねじまたは釘とすることが可能である。このように、これらの壁取付け具１６８を用いると、配電装置１１０を壁または他のどんな表面にも固定することが可能となる。
【００３８】
図９を参照すると、本発明の構成による充電システム１００の例が示されている。この例では、充電システム１００は、配電装置１１０が比較的短くなっていることを除き、先に述べた全ての要素を含み得る。１例として、配電装置１１０は、限られた数の受電装置１１２、例えば、受電装置１１２を１つまたは２つだけ支持し得る程度の長さとすることが可能である。この配電装置１１０も、配電装置１１０を例えば壁に固定する壁取付け具１６８を含み得る。この特定の構成は上述の通りに動作するが、より短い配電装置１１０を使用しているため、使用者がこの充電システム１００を配置可能または使用可能な場所が増えることになる。
【００３９】
図１０を参照すると、本発明の代替実施形態が示されている。この構成では、配電装置１１０は、先に述べた実施形態と同じにすることが可能である。さらに、受電装置１１２は、先の実施形態に関して説明した特徴の全てまたは少なくとも一部分を含み得る。例えば、受電装置１１２はスイッチ１６６を含み得る。ただしこの例では、受電装置１１２は、回路１５４に結合可能な少なくとも１つの第１の結合部１７０を含み得る。この構成では、受電装置１１２は、配電装置１１０から電力を受け取るとともにその電力を第１の結合部１７０に送ることが可能である。
【００４０】
図１１を参照すると、受電装置１１２は、１つまたは複数の埋込み式電子デバイス１５８を有する衣服１５６を支持することが可能である。図示のように、衣服１５６は、電子デバイス１５８の電源１６０に結合可能な第２の結合部１７２を含み得る。第１の結合部１７０および第２の結合部１７２のどちらにも、第１の結合部１７０と第２の結合部１７２とを互いに電気的に係合させる適当などんな構造も含めることが可能である。したがって、受電装置１１２は、第１の結合部１７０と第２の結合部１７２を介して電力を送り電子デバイス１５８の電源１６０を充電することが可能となる。この構成では、受電装置１１２は、配電装置１１０から直流または交流のいずれも受け取ることが可能であり、また、望むなら、配電装置１１０は、それが受け取る電圧の大きさを低減させることも可能である。受電装置１１２が直流を受け取る場合は、衣服１５６に整流器１６３などの整流器を含める必要はない。
【００４１】
本発明の好ましい実施形態について図示するとともに説明してきたが、本発明は上述のように限定されるものではないことは明白であろう。添付の特許請求の範囲によって定義される本発明の趣旨および範囲から逸脱することなく、多数の改変形態、変更形態、変形形態、代替形態、および等価形態が当業者には思いつくであろう。
【図面の簡単な説明】
【００４２】
【図１】本発明の構成による充電システムを示す図。
【図２】図１の参照線２−２に沿って見た、本発明の構成による配電装置の端面図。
【図３】本発明の構成による別の配電装置の端面図。
【図４】図２の本発明の構成による配電装置の底面図。
【図５】図２の本発明の構成による配電装置に係合された受電装置を示す図。
【図６】本発明の構成に従って受電装置が衣服を支持している、図２の配電装置に係合された図５の受電装置を示す図。
【図７】本発明の構成に従ってクローゼット内に取り付けられた図２の配電装置を示す図。
【図８】図２の本発明の構成による配電装置の別の例を示す図。
【図９】図２の本発明の構成による配電装置のさらに別の例を示す図。
【図１０】本発明の構成による充電システムの別の例を示す図。
【図１１】本発明の構成に従って図１０の充電システムによって充電されている衣料品を示す図。
【図１】
2007502100.tif 000003
【図２】
2007502100.tif 000004
【図３】
2007502100.tif 000005
【図４】
2007502100.tif 000006
【図５】
2007502100.tif 000007
【図６】
2007502100.tif 000008
【図７】
2007502100.tif 000009
【図８】
2007502100.tif 000010
【図９】
2007502100.tif 000011
【図１０】
2007502100.tif 000012
【図１１】
2007502100.tif 000013
【国際調査報告】
2007502100.tif 000014